(57)【要約】【課題】本発明は、傾斜したドラム式洗濯機に係わるものであり、洗濯物の出し入れを容易にさせる傾斜角度を有すると、ドラムを低速回転による洗濯運転すると洗濯物がドラム内にあるリフターで持ち上げられなくなり洗浄効率が悪くなるため、洗浄性能向上を図る目的とする。【解決手段】ドラム式洗濯機の全側面に開閉蓋を有した構成のものにおいて、洗濯物の取り出しを良くするために設けられた傾斜ドラムに対し、ドラムの内周壁に設けられたリフターの傾斜角度を、ドラムの傾斜角度より大きくする構成とした。【効果】ドラムの傾斜に対しリフターの傾斜を異ならせたことにより、洗浄性能の向上が図れた。【選択図】  図３
2005006785.tif 000002
【特許請求の範囲】
【請求項１】
ドラム内に洗濯物を投入して回転させ洗濯するドラム式洗濯機において、ドラムを水平に対し傾斜させた構成のものでドラムの内周壁に設けられた洗濯物を持ち上げるリフターの傾斜角度をドラムの傾斜角度より大きな角度としたことを特徴とするドラム式洗濯機。
【請求項２】
請求項１のドラム式洗濯機は、ドラム式洗濯機の前面に衣類を投入する開閉蓋を有したフロントオープン式としたことを特徴とするドラム式洗濯機。
【発明の詳細な説明】
【０００１】
【発明の属する技術分野】
本発明は、ドラム式洗濯機に係わるものである。
【０００２】
【従来の技術】
従来の傾斜ドラム式洗濯機は、ドラムの水平に対する傾斜角度と洗濯時ドラムの回転により洗濯物を持ち上げるリフターの角度が同じであった。このため、洗濯時洗濯物を持ち上げる効率が悪く洗浄性能が悪かった。また、洗いムラも大きく洗濯機として大きな欠点があった。
【０００３】
【特許文献】
なし
【０００４】
【発明が解決しようとする課題】
本発明は、従来技術の欠点であるリフターとドラムの水平に対する傾斜角度を異ならせ、洗浄力を向上させることにある。
【０００５】
【課題を解決するための手段】
本発明は洗濯物の出し入れを容易にするためにドラムを水平に対し傾斜をさせた構成において、ドラムの内周壁に設けられたリフターの角度をドラムの傾斜角度より大きくし、洗浄性能を向上させる。
【０００６】
【発明の実施の形態】
図１は、本発明に係わるドラム式洗濯機の縦断面図である。
【０００７】
外枠１は内部機構の周囲を内包するドラム式洗濯機の枠体である。外枠１の上部には合成樹脂等で形成されたトップカバー２３が設けられている。外枠１の内部には、外槽２が設けられており、外槽２の底部には外槽２を支持し振動などを吸収する４本のサスペンション４で外枠１の底面部に支持されている。また外槽２の上部後方には、外槽２の倒れを防止するためのヒキバネ１３により外枠１の上部から支持されている。外槽２の内部には、洗濯時低速回転して洗濯物２１を洗濯するドラム３が設けられており、このドラム３の内周側壁部には洗濯物２１を脱水するときの脱水穴２０が多数もうけられている。また、ドラム３の外周側壁には洗濯時ドラムが回転するとき、洗濯物２１を持ち上げてドラム３の底面部まで落下させるリフター２４が数本設けられている。ドラム３は、ドラム３の開口部と反対側の側壁にドラム３を固定するフランジ２２に固定されており、フランジ２２は主軸１４を介して駆動モータ１５に接続されている。
【０００８】
また、ドラム３の入り口開口部の外周には、ドラム３が高速回転して洗濯物２１の水分を脱水するとき洗濯物２１の片寄りによる振動を低減するためのバランサー７が設けられている。
【０００９】
また、主軸１４には、その外周部と外槽２部には洗濯時水漏れを防止するウオータシール１６を介在してある。
【００１０】
洗濯時、ドア６を開けて洗濯物２１をドラム内に投入する。ドア６は、外枠１とベロー５により支持されており、洗濯・すすぎ・脱水時の水漏れを防止するパッキンの役割も兼ねている。
【００１１】
ドラム３内に洗濯物２１を投入した後、トップカバー２３に設けられた洗剤ケース９内に必要量の洗剤を投入して洗濯スタートすることにより、水道水の蛇口と接続せれている給水ホース１１を介して、給水弁１０の開制御により、水道水が給水管１２を介して洗剤ケース９内へ通水されて、洗剤ケース９内に投入された洗剤を溶かして洗剤ケース９と外槽２をゴムなどで形成されたフレキシブルな注水ホース８を介して、外槽２内へ投入される。洗濯に必要な水量が外槽２内に供給されたことを水位センサーなど（図省略）で検知した後、給水弁を閉じて洗濯が開始される。外槽２は、洗濯物２１の出し入れが容易となるように水平に対してθ１の角度を有している、このためドラム３の内周側壁に位置している洗濯物２１をドラム３の回転によって持ち上げるためのリフター２４の角度θ２も同じような角度をもって構成されておりこの角度の関係はθ１＝θ２となっている。一般的にこの角度θ１およびθ２は１０度から２０度位の傾斜角度を有している。
【００１２】
洗濯が終了すると、外槽２内の洗濯液は、排水弁１８の操作により排水ホース１９から洗濯機外に排水される。
【００１３】
この排水弁１８は、外槽の最下部に位置しており外槽２内にある洗濯およびすすぎ水を完全に排水できる構造となっている。
【００１４】
排水終了後は、外槽裏面壁側に設けられた駆動モータ１５の回転により、駆動モータ１５の回転をドラム３と接続された軸１４を介してドラム３を高速回転させ、洗濯物２１の水分をドラム３の脱水穴２０から遠心力で脱水するものである。
【００１５】
これら一連の運転を図２の洗濯コースブロック図を基に説明する。
（Ｓ１０５）
洗濯に必要な水を給水弁１０の開閉操作により給水ホース１１を介して水道蛇口（図省略）から水を給水管１２、洗剤ケース９、注水ホース８を経て外槽２内に洗濯水が供給される。
【００１６】
供給された洗濯水が規定量となることをセンサー（図省略）で検知すると、給水弁１０を閉じて給水停止をする。
（Ｓ１０６）
洗濯に必要な洗濯水が供給されると、駆動モータ１５が低速で一方向もしくは休止をおいて右回転、左回転を行い洗濯物２１をドラム３に設けられたリフター２４により持ち上げてから洗濯物２１の自重により自由落下させて、たたき洗いの効果により洗濯物２１に付着した汚れを洗う。
（Ｓ１０７）
洗濯が規定時間終了すると、洗濯水を排水する排水工程へ移行する。排水工程では、駆動モータ１５を停止してから、排水弁１８を開放して外槽内の洗濯水を排水ホース１９から洗濯機外に排水する。
（Ｓ１０８）
排水が完全に終了することを時間などで制御した後、洗濯物２１内に含まれる水分を脱水する工程へ移行する。脱水工程では、駆動モータ１５を一方向に高速で回転させてドラム３を高速回転することにより遠心力で洗濯物２１に含まれた水分を脱水穴２０から脱水する。
（Ｓ１０９）
脱水終了後は洗濯物２１に含まれる洗剤分をすすぐ工程へ移行するための、清水を給水する。この給水制御はＳ１０５による洗濯時の給水制御と同じ方法で行われる。
（Ｓ１１０）
すすぎ水が規定量供給されると、駆動モータ１５を休止時間をおいて低速運転で左右回転する。
【００１７】
この運転制御はＳ１０６における洗濯時の制御と同じ方法で動作される。
（Ｓ１１１）
すすぎ▲１▼が終了すると、駆動モータ１５の運転を停止しＳ１０７と同じ動作ですすぎ水を排水する。
（Ｓ１１２）
排水Ｓ１１１が終了した後、脱水▲１▼と同じ動作で中間脱水をする。
（Ｓ１１３）
脱水▲２▼を終了した後、次のすすぎ▲２▼を行うための給水をする。
（Ｓ１１４）
すすぎ▲２▼はすすぎ▲１▼と同じ動作で運転される。
（Ｓ１１５）
排水工程はＳ１１２やＳ１１１と同じ制御ですすぎ▲２▼の水を排水する。
（Ｓ１１６）
最終脱水工程であり、脱水▲１▼のＳ１０８や脱水▲２▼のＳ１１２より長い時間高速脱水をして洗濯物２１の水分を遠心力により脱水穴２０から脱水する。
（Ｓ１１７）
最終脱水工程Ｓ１１６が終了した後、洗濯コースの終了を知らせる終了完了の警報を行う。
【００１８】
次に図３を基に説明する。
【００１９】
図３は、本発明のドラム式洗濯機の縦断面図である。
【００２０】
本発明のドラム式洗濯機はドラム３内へ洗濯物２１が容易に出しやすいように水平に対しθ３の角度を有している。このためドラム３の内周壁に数本の洗濯物２１を持ち上げるリフター２４も水平に対し同じ様な角度θ４を有するが、ドラム３の傾斜角度θ３に対しリフター２４の傾斜角度θ４はθ３＜θ４の関係で構成されている。
【００２１】
ここで、θ３＝θ４は水平に対しドラムの傾斜角度とリフターの角度が同じな場合を示している。ドラム３を水平に対しθ３の角度で傾斜させると、洗濯物２１はドラム３の底辺の角部に集中してかたまり、ドラム３が洗濯時低速回転すると、洗濯物２１を持ち上げることができなくなり、ドラム３の底辺の角をボール状で回転する状態となる。このため、洗濯物２１のたたき洗いが出来なく洗浄性能が大幅に低減する。
【００２２】
図４は、ドラム３の傾斜角度とリフター２４の傾斜角度を表わした図である。
【００２３】
ドラム式洗濯機の前面を開閉して洗濯物２１を投入したり、取り出したりする場合、操作性をよくするために外槽２に傾斜を設けて構成している、この時ドラム３の内周に設けられたリフター２４の傾斜角度も比例して図４に示す角度となる。
【００２４】
この様に、ドラム３の傾斜角度とリフター２４の角度が比例して同じ角度となると前述したように、洗濯物２１が洗濯時リフター２４により持ち上げられなくなり、ドラム式洗濯機の特徴であるたたき洗いが出来なく洗浄性能が大幅に低減する。
【００２５】
図５は、図３で示すドラム３が水平に対し傾斜角度θ３とした状態でのリフター２４の傾斜角度θ４を変化させたときの洗浄性能の関係を示した図である。
【００２６】
すなわち、図３に示すドラム３の水平に対する傾斜角度θ３を一定な角度としてθ３の一定な角度に対し、ドラム３に設けられたリフター２４の角度θ４を水平に対し変化させた場合の洗浄性能の状態を示したものである。
【００２７】
図５でリフター２４の角度０度は、ドラム３の傾斜角度θ３と同じ角度を示めしている。すなわちθ３＝θ４の状態である。
【００２８】
この場合、洗濯時、ドラム３の回転によりリフター２４で洗濯物２１を持ち上げる力が弱く、洗濯物２１に対し落下による、たたき洗いが弱くなり洗浄性能が低下するものである。ドラム３の水平に対する傾斜角度θ３を一定として、ドラム３に設けられたリフター２４の角度を大きくしていくと、洗濯時ドラム３の回転により、洗濯物２１がリフター２４により持ち上げられ、ドラム式洗濯機特徴である洗浄方式のたたき洗いの効果が大きくなり、洗浄力も出てくる。
【００２９】
すなわち、図３においてドラム３の傾斜角度θ３とドラム３に設けあるリフターの傾斜角度θ４がθ３＝θ４の場合洗濯物２１を持ち上げる力が少なく、落下衝撃が少ないため洗浄性能が低下する。
【００３０】
θ３＜θ４となれば、洗濯物２１を持ち上げる力が大きくなり洗濯物２１の落下衝撃も大きくなり洗浄性能が高くなるが、θ４の角度にも限界があり、ドラム３の角度θ３に対し２０度を越えると、ドラム３内での落下高さが取れなくなり洗濯物２１の衝撃力が低下し洗浄性能も効率よくならなくなる。
【００３１】
【発明の効果】
本発明によれば、リフターとドラムの水平に対する傾斜角度を異ならせ、洗浄力を向上させることができる。
【図面の簡単な説明】
【図１】傾斜形ドラム式洗濯機の縦断面図。
【図２】ドラム式洗濯機の洗濯コース運転ブロック図。
【図３】本発明の傾斜形ドラム式洗濯機の縦断面図。
【図４】ドラム式洗濯機洗濯槽傾斜とリフター傾斜の関係図。
【図５】リフター傾斜角度と洗浄性能の説明図。
【符号の説明】
２…外槽、３…ドラム、２４…リフター。
【図１】
2005006785.tif 000003
【図２】
2005006785.tif 000004
【図３】
2005006785.tif 000005
【図４】
2005006785.tif 000006
【図５】
2005006785.tif 000007